(57)【要約】      （修正有）【課題】簡単な操作で力を使わない折り畳み式スイッチ機能を備えるコンセントを提供する。【解決手段】折り畳み式スイッチ機能を備えるコンセントは、外殻体と第一導電部と第二導電部と複数のコンセントを備える。外殻体は複数の凹室を窪み形状に設け、各凹室にはボックスを装着し、ボックスには一組の端子軌道を設ける。第一導電部と第二導電部は外殻体内に固定設置し、各コンセントは回動可能状態で各凹室内に設置し、しかも各ボックスに対応させ、コンセントにはコンセント外殻体とコンセント外殻体内に装着する絶縁本体と絶縁本体内に装着する端子とを備え、端子の一端は端子軌道を通過し第一導電部、第二導電部に接触または分離する。【選択図】図２
0003162909.tif 000002
【実用新案登録請求の範囲】
【請求項１】
複数の凹室を窪み形状に設置し、各凹室には一組の端子軌道を設けるボックスを装着する外殻体と、
前記外殻体内に固定設置する第一導電部及び第二導電部と、
回動可能状態で各凹室内に設置し、しかも各ボックスに対応させ、コンセント外殻体とコンセント外殻体内に装着する絶縁本体と絶縁本体内に装着する端子とを備え、前記端子の一端は端子軌道を通過し第一導電部、第二導電部に接触または分離する複数のコンセントとにより構成される折り畳み式スイッチ機能を備えるコンセント。
【請求項２】
前記凹室の側壁上には定位孔及び上凹溝を設け、各ボックスには下凹溝を備え、前記下凹溝と前記上凹溝は相互に対応させて回転孔を形成し、前記外殻体に設けた定位部品には中空柱と球体と弾性部品とを備え、前記球体は中空柱と定位孔が接触する一端に配置し且つスライド可能状態で一部を定位孔から突出させ、定位部品の一端は選択可能な状態で前記定位孔内に嵌合支持することを特徴とする請求項１記載の折り畳み式スイッチ機能を備えるコンセント。
【請求項３】
前記ボックスは底壁と後壁と両側壁を備え、前記底壁と後壁と両側壁を繞設して収納空間を形成し、前記コンセント外殻体の下部は回動可能状態で前記収納空間内に収めることを特徴とする請求項１記載の折り畳み式スイッチ機能を備えるコンセント。
【請求項４】
前記凹室後壁上には定位溝を設け、前記ボックスには一対の固定棒を設け、固定棒の末端を外殻体の定位溝に固定支持させ、これによりボックスは外殻体内に固定支持することを特徴とする請求項１記載の折り畳み式スイッチ機能を備えるコンセント。
【請求項５】
前記コンセント外殻体の左右側壁にはそれぞれ嵌合溝を貫設し、コンセント本体上には端子溝を設け、且つコンセント本体両側には嵌入体を突設し、前記端子は端子溝内に収め、前記嵌入体は前記嵌合溝内に嵌合するため、コンセント本体をコンセント外殻体内に嵌合することを特徴とする請求項１記載の折り畳み式スイッチ機能を備えるコンセント。
【考案の詳細な説明】
【技術分野】
【０００１】
本考案はスイッチ機能を備えるコンセントに係り、特に折り畳み式スイッチ機能を備えるコンセントに関する。
【背景技術】
【０００２】
コンセントは家庭や仕事の場に広範に応用され、プラグを挿入し接続することで電気エネルギーの伝送を実現する。
【０００３】
公知のスイッチ式コンセントは蓋体と蓋体上に固定する複数のコンセント部と蓋体上に配置する一つの電源スイッチまたは各コンセント部に対応するスイッチを備え、スイッチを押してコンセント上の電器製品のプラグの通電及び遮断をコントロールして節電効果を達成する。プラグをコンセントに挿入するとプラグは電極に触れて電気的に接続され、コンセントの作業を終えて使用しない場合は、プラグをコンセントから引き抜くかコンセント上のスイッチをオフにして節電効果を達成する。
【考案の概要】
【考案が解決しようとする課題】
【０００４】
前述の如く一つの電源スイッチを設けた公知のスイッチ式コンセントの場合、一つのコンセント部を使用中なら他の使用していないコンセント部の電源は遮断できないため、節電効果を達成できない。また、各コンセント部に対してスイッチを設けたコンセントの場合はコストが割高となる。しかも、プラグを抜き取ると節電効果を達成できるとしても便利性に欠け、コンセントには塵や埃が累積し易くなり、導電不良等その他の安全面に懸念が残る。
【課題を解決するための手段】
【０００５】
本考案の目的は前述した技術に見られる不足点を克服し、簡単構造、便利なコントロール、節電目的を簡単に達成する折り畳み式スイッチ機能を備えるコンセントを提供することにある。
【０００６】
前述目的を達成するために、本考案の提供する折り畳み式スイッチ機能を備えるコンセントは、外殻体と第一導電部と第二導電部と複数のコンセントを備える。前記外殻体は複数の凹室を設け、各凹室にはボックスを装着し、ボックスには一組の端子軌道を設ける。第一導電部と第二導電部は前記外殻体内に固定設置し、各コンセントは回動可能状態で各凹室内に設置し、しかも各ボックスに対応させ、前記コンセントにはコンセント外殻体とコンセント外殻体内に装着する絶縁本体と絶縁本体内に装着する端子とを備え、前記端子の一端は端子軌道を通過し第一導電部、第二導電部に接触または分離する。
【考案の効果】
【０００７】
前述した通り、本考案の折り畳み式スイッチ機能を備えるコンセントはプラグを引き抜くことなしにコンセントを動かすだけで電源オフ作用を生じさせることができ、簡単操作で力を使わないコンセントである。
【図面の簡単な説明】
【０００８】
【図１】本考案の折り畳み式スイッチ機能を備えるコンセントに関する立体図である。
【図２】本考案の折り畳み式スイッチ機能を備えるコンセントに関する立体分解図である。
【図３】本考案の折り畳み式スイッチ機能を備えるコンセントに関する上外殻体の立体図である。
【図４】本考案の折り畳み式スイッチ機能を備えるコンセントに関する定位部品の立体図である。
【図５】本考案の折り畳み式スイッチ機能を備えるコンセントに関する上外殻体と下外殻体の組み合わせ立体図である。
【図６】本考案の折り畳み式スイッチ機能を備えるコンセントに関する作業終了後の立体図である。
【図７】本考案の折り畳み式スイッチ機能を備えるコンセントに関するボックスの立体図である。
【考案を実施するための形態】
【０００９】
本考案の技術内容、構造特徴、達成すべき目的と効果を理解戴くために、以下の図面を組み合わせた実施例によって詳細説明を行う。
【００１０】
図１及び図２に示す通り、本考案の折り畳み式スイッチ機能を備えるコンセント１００は外殻体１０と第一導電部２１と第二導電部２２と複数のコンセント３０と複数の定位部品４０とを備える。
【００１１】
図２、図３、図５に示す通り、前記外殻体１０は上外殻体１１と下外殻体１２と複数のボックス１３とを備え、前記上外殻体１１には下方向に窪んだ状態に形成する複数の凹室１１１と、凹室１１１の側面溝壁上にそれぞれ設ける定位孔１１２と、凹室１１１の側面溝壁上にそれぞれ設け定位孔１１２の下方に位置する上凹溝１１３とを備え、前記凹室１１１の後壁上には定位溝１１４を貫設し、凹室１１１の底部は上外殻体１１内部に連結し、下外殻体１２は板状とする。
【００１２】
図２及び図７に示す通り、前記ボックス１３は外殻体１０の凹室１１１底部に固定装着する。ボックス１３は底壁と後壁と両側壁を備え、前記底壁と後壁と両側壁を繞設して前端開放状態の収納空間１３１を形成し、ボックス１３の両側壁上には何れにも下凹溝１３２を設け、前記下凹溝１３２と前記上凹溝１１３を相互に対応させて回転孔５０を形成する（図５参照）。ボックス１３の底壁上には端子軌道１３３を設け、前記端子軌道１３３はボックス１３の後壁に延伸貫通し、ボックス１３後壁の端子軌道１３３外側には上方向に延伸する固定棒１３４を突設し、固定棒１３４の末端は外殻体１０の定位溝１１４内に固着し、ボックス１３は外殻体１０上に固着して凹室１１１に対応させる。
【００１３】
図２に示す通り、前記第一導電部２１と第二導電部２２は下外殻体１２上に固定し、第一導電部２１と第二導電部２２は各コンセント３０に対応する箇所に複数の接続足２３を延伸する。
【００１４】
前記の各コンセント３０は各凹室１１１内に配置する。コンセント３０はコンセント外殻体３１と、コンセント外殻体３１に装着する絶縁本体３２と、回転部３３と、絶縁本体３２内に装着する端子３４とにより構成され、前記コンセント外殻体３１は側面が円弧形状の底壁と、底壁の各側面エッジが上方向に延伸して形成される前後左右側壁とを備え、前記コンセント外殻体３１の対称となる左右側壁上部には嵌合溝３１１を貫設し、コンセント外殻体３１の対称となる左右側壁下部にはそれぞれが外向きに突設する環状の回転部３３を形成し、対称となる左右側壁中の一側壁上には固定孔３１２を貫設する。絶縁本体３２の上部には端子溝３２１を設け、絶縁本体３２両側にはそれぞれ嵌入体３２２を突設し、端子３４は端子溝３２１内に収め、端子３４下端はボックス１３の端子軌道１３３を通過して第一導電部２１或いは第二導電部２２の接続足２３に接触や分離をする。
【００１５】
図２及び図４に示す通り、前記定位部品４０は中空柱４１と球体４２と弾性部品４３により構成される。前記定位部品４０の一端は上外殻体１１内に固着し、他の一端は定位孔１１２を貫通し、球体４２は中空柱４１と定位孔１１２が接触する一端に配置し、且つスライド可能状態で一部を定位孔１１２から突出させ、弾性部品４３は中空柱４１内に配置し且つ弾性をもって形状を変化させて球体４２を押し上げる。
【００１６】
図６に示す通り、本考案を使用する場合は、コンセント３０を回転させて絶縁本体３２の端子溝３２１を垂直方向にすると、球体４２は固定孔３１２内に嵌入してコンセント３０を定位する。この時端子３４の下端は端子軌道１３３を通過しそれぞれは第一導電部２１及び第二導電部２２の接続足２３と接触導電し、この時プラグを挿入するとプラグのプラグ端子が端子３４上端に接触し導電する。挿入したプラグの作業終了後は、プラグを動かしてコンセント３０を回転させるだけでよく、この過程において球体４２は固定孔３１２から脱け（図６参照）、球体４２は中空柱４１内部方向に移動し、弾性部品４３は圧縮する。コンセント３０を続けて回動すると球体４２はコンセント外殻体３１を離脱し、弾性部品４３は緩まり、球体４２は外方向に突出する。即ち、絶縁本体３２の端子溝３２１を水平方向にした場合、端子３４の下端は回転して端子軌道１３３から出、第一導電部２１及び第二導電部２２の接続足２３と分離した後は、コンセント３０とプラグに対し電源供給を行わない。
【００１７】
前述した通り、本考案の折り畳み式スイッチ機能を備えるコンセント１００はプラグを引き抜くことなくコンセント３０を回動させるだけで電源をオフにする作用を達成し、簡単操作で力を使わない。
【符号の説明】
【００１８】
１００    折り畳み式スイッチ機能を備えるコンセント
１０    外殻体
１１    上外殻体
１１１    凹室
１１２    定位孔
１１３    上凹溝
１１４    定位溝
１２    下外殻体
１３    ボックス
１３１    収納空間
１３２    下凹溝
１３３    端子軌道
１３４    固定棒
２１    第一導電部
２２    第二導電部
２３    接続足
３０    コンセント
３１    コンセント外殻体
３１１    嵌合溝
３１２    固定孔
３２    絶縁本体
３２１    端子溝
３２２    嵌入体
３３    回転部
３４    端子
４０    定位部品
４１    中空柱
４２    球体
４３    弾性部品
５０    回転孔
【図１】
0003162909.tif 000003
【図２】
0003162909.tif 000004
【図３】
0003162909.tif 000005
【図４】
0003162909.tif 000006
【図５】
0003162909.tif 000007
【図６】
0003162909.tif 000008
【図７】
0003162909.tif 000009